(57)【要約】      （修正有）【課題】ペット用のトイレは、狭い場所を利用して、犬のトイレの場所を作ろうとしても、トイレの大きさより狭ければ、その場所を使う事が出来ず、適度な大きさに調整する事が出来ず、あくまでもトイレとしてしか使えない。【解決手段】縦寸法がａ＋ｃで、横寸法がｂ＋ｄの四角形の板体の角部から、縦寸法がｃで、横寸法がｄの四角形の板体を、切り欠き除去して、３個の四角形の板体Ａ、Ｂ、Ｃから構成され、四角形の板体Ａの横辺と、四角形の板体Ｂの横辺が同じ長さｂで連接しており、四角形の板体Ａの縦辺と、四角形の板体Ｃの縦辺が同じ長さａで連接している、全体としてＬ字形の板体であり、四角形の板体Ａと四角形の板体Ｃが連接する辺部ｘと、四角形の板体Ａと四角形の板体Ｂが連接する辺部ｙで、折り曲げ可能で、かつＬ字形の板体を複数個接続出来る事を特徴とした板体である。【選択図】図２
0003128314.tif 000002
【実用新案登録請求の範囲】
【請求項１】
縦寸法がａ＋ｃで、横寸法がｂ＋ｄの四角形の板体の角部から、縦寸法がｃで横寸法がｄの四角形の板体を、切り欠き除去して、３個の四角形の板体（Ａ）、（Ｂ）、
（Ｃ）から構成され、四角形の板体（Ａ）の横辺と、四角形の板体（Ｂ）の横辺が同じ長さｂで連接しており、四角形の板体（Ａ）の縦辺と、四角形の板体（Ｃ）の縦辺が同じ長さａで連接している、全体としてＬ字形の板体であり、四角形の板体（Ａ）と四角形の板体（Ｃ）が連接する辺部（ｘ）と、四角形の板体（Ａ）と四角形の板体（Ｂ）が連接する辺部（ｙ）で、折り曲げ可能で、かつＬ字形の板体を複数個接続出来る事を特徴とした
仕切り板。
【考案の詳細な説明】
【技術分野】
【０００１】
本考案は、犬や猫、鳥や小動物等のペットの糞や尿、ごみ等の飛び散りを防いだり、ペットを保温したり、あるいは台所用品や、日用品の整理にも用いる事が出来る板体である。
【背景技術】
【０００２】
従来のペット用トイレは、平面である。（例えば、特許文献１参照）
【０００３】
また、壁への尿の飛び散りを防ぐ為のＬ字型のトイレトレーもある。
（例えば、特許文献２参照）
【０００４】
さらに、壁への尿の飛び散りを防ぐだけでなく、サイドへの尿の飛び散りを防ぐ
ペット用トイレもある。（例えば、特許文献３参照）
【特許文献１】特開２００３−１５３６３９号公報
【特許文献２】特開２００５−２１１０３１号公報
【特許文献３】実開平２−２９２６２号公報
【考案の開示】
【考案が解決しようとする課題】
【０００５】
以上に述べた従来のペット用トイレは、デッドスペースを利用して、トイレの場所を作ろうとしても、そのペット用トイレの大きさより、狭ければ、そこは使えない。また、小さ過ぎては、ペットが使いにくいし、大き過ぎては、邪魔になり、ちょうどいい大きさに調整する事が出来ないし、あくまでもペット用トイレはトイレであり、ペット用トイレが、猫の爪とぎや、小屋になる事はない。また、鳥や小動物等、ケージで飼うペットも、食べかすや糞や水等をケージの外に飛ばしたりして、後始末が大変であり、それを防止する為にタオルや布等をかけたりしているが、ペットがタオルや布をケージの中に、引きずり込んでしまう事もよくある。
【課題を解決するための手段】
【０００６】
縦寸法がａ＋ｃで、横寸法がｂ＋ｄの四角形の板体の角部から、縦寸法がｃで、横寸法がｄの四角形の板体を、切り欠き除去して、３個の四角形の板体Ａ、Ｂ、Ｃから構成され、四角形の板体Ａの横辺と、四角形の板体Ｂの横辺が同じ長さｂで連接しており、四角形の板体Ａの縦辺と、四角形の板体Ｃの縦辺が同じ長さａで連接している、全体としてＬ字形の板体であり、四角形の板体Ａと四角形の板体Ｃが連接する辺部ｘと、四角形の板体Ａと四角形の板体Ｂが連接する辺部ｙで、折り曲げ可能で、かつＬ字形の板体を複数個接続出来る事を特徴とした板体である。
【０００７】
本考案の板体とは、厚さ０．５ミリメートルから、２．５センチメートルの、ダンボールや厚紙、ゴム、プラスチック等、比較的簡単に、はさみやカッターで切断出来る材質の物を使用する事により、ケージの大きさや置く場所の広さに合わせて、不要な部分を切除する事により、適度な大きさにする事が出来る。
【０００８】
板体の大きさは、四角形の板体Ａと、四角形の板体Ｂが、縦寸法が４５センチメートル、横寸法が６０センチメートルという、ペットシーツのワイドの大きさにし、四角形の板体Ｃの縦と横の寸法をそれぞれ４５センチメートルとする板体を、基本の大きさとする。
ただし、四角形の板体Ａ、Ｂ、Ｃ、それぞれの縦寸法は、５センチメートルから９０センチメートルの範囲で使用し、横寸法は、７センチメートルから１８０センチメートルの範囲で使用出来る。また、板体を折り曲げ可能とするには、折り目や切れ目、あるいは
ミシン目等を入れるとよい。
【考案の効果】
【０００９】
四角形の板体Ａと四角形の板体Ｃが連接する辺部ｘと、四角形の板体Ａと四角形の板体Ｂが連接する辺部ｙを、それぞれ内側に折り曲げると、四角形の板体Ｂと四角形の板体Ｃが接する部分が出来、その接する辺部ｉを、ガムテープや接着剤等で接着すると、四角形の板体Ａが底面部となり、四角形の板体Ｂと四角形の板体Ｃがそれぞれ側面部となる左側用の仕切り板となり、その仕切り板の上に鳥や小動物等のケージを置く事によって、鳥や小動物等のケージから食べかすや糞、水等の飛び散りを防ぐガード板になる。
【００１０】
また、冬場や寒い時に、鳥や小動物等のケージの内側や外側に仕切り板を置き、保温器やヒーター、バスキングライト等を使う事によって、断熱材として保温力を高める事が出来る。
【００１１】
さらに、その底面部となる四角形の板体Ａと側面部となる四角形の板体Ｂと四角形の板体Ｃにペットシーツを貼れば、雄犬の小便飛び散り防止ガード付トイレトレーになる。辺部ｘと辺部ｙをそれぞれ外側に折り曲げて、接続部ｉをガムテープや接着剤等で接着すると、右側用の仕切り板になる。
【００１２】
さらに右側用と左側用を組み合わせる事によって、縦方向にも、横方向にも大きくする事が出来、その２パターンを上下に組み合す事によって、犬小屋や猫小屋、猫のトイレボックス等になり、その２パターンを２枚、あるいは、４枚使って囲いを作る事により、犬や猫、小動物等の遊び場としての囲いを作る事が出来る。
【００１３】
さらに、四角形の板体Ｂか四角形の板体Ｃの一方を切除し、その間に連結する事により、縦方向にも、横方向にも自在に大きくする事が出来る。また、四角形の板体Ｂか四角形の板体Ｃの一方を切断、あるいはそのまま、部屋の角や壁、柱に貼る事によって壁や柱をペットのかじりや引っ掻きから守るガード板となり、そのまま猫の爪とぎにもなる。
【００１４】
また、仕切り板に、レンガ柄や大理石柄、花柄等を印刷する事により、部屋の雰囲気に合わせる事も、部屋の雰囲気を変える事も出来、熱帯魚や金魚等の水槽を仕切り板に乗せて、不要な部分を切除すれば、水槽のバックスクリーンにもなる。
【００１５】
また、ペット用としてだけではなく、フライパンや鍋等の下に、この仕切り板を敷く事によって、フライパンや鍋等に付着しているすすや汚れを他の物に付着する事を防止する、汚れ付着防止板としても使用可能であり、キッチン用品や日用品等いろんな物を整理する為の、間仕切りとしても使用する事が出来る。
【考案を実施するための最良の形態】
【００１６】
以下、本考案の実施の形態を、実施例となる図１に基づいて、説明する。
【００１７】
図１は、本考案の板体の平面図であり、板体の厚さは５ミリメートルのダンボールを用い、縦寸法がａを４５センチメートル、ｃを４５センチメートルとして合計
９０センチメートル、横寸法がｂを６０センチメートル、ｄを４５センチメートルとして合計１０５センチメートルの四角形の板体の、左の角部から、ｃの縦寸法が４５センチメートルで、ｄの横寸法も４５センチメートルの四角形の板体を、切り欠き除去して、３個の四角形Ａ、Ｂ、Ｃを構成した。四角形の板体Ａの横辺と、四角形の板体Ｂの横辺が同じ長さ６０センチメートルのｂで連接しており、その連接している辺部をｙとし、四角形の板体Ａの縦辺と、四角形の板体Ｃの縦辺が同じ長さ４５センチメートルのａで連接して
おり、その連接している辺部をｘとし，辺部ｘと辺部ｙは折り目を設けて、折り曲げ可能とした。
【００１８】
以下、図２〜図８は、本考案の実施例となる仕切り板を用いた使用例を示している。
【００１９】
図２は、図１の平面図の辺部ｘと辺部ｙを、内側に折り曲げて、四角形の板体Ｂと四角形の板体Ｃが接する部分、接続部ｉを、ガムテープや接着剤等で接着した図であり、部屋や天板の左側で使用する場合に、四角形の板体Ｃが左側になる、この図２の形で使用する。部屋や天板の右側で使用する場合には、辺部ｘと辺部ｙを、外側に折り曲げて、四角形の板体Ｂと四角形の板体Ｃが接する部分、接続部ｉを、ガムテープや接着剤等で接着し、右側に四角形の板体Ｃがある形にして使用する。四角形の板体Ａを底面部、四角形の板体Ｂと四角形の板体Ｃを側面部として、鳥や小動物等のケージをその仕切り板の上に置く事によって、鳥や小動物等のケージから食べかすや糞、水等の飛び散りを防止するガード板や保温板として使用し、ケージの大きさや使いかってに合わせて、四角形の板体Ｂや四角形の板体Ｃの不要な部分を切除して使用する。
【００２０】
また、犬用トイレとして使用する場合は、底面部の四角形の板体Ａに、もしくは雄犬のように、片足を上げて尿を飛び散らすような場合には、側面部の四角形の板体Ｂと四角形の板体Ｃにも、ペットシーツを貼って使用し、そのままの大きさで、置きたい場所に入らない場合は、はさみやカッターで入らない部分を切除すればよい。また、図２の形でも、猫の爪とぎ場になり、平面体のまま、四角形の板体Ｂや四角形の板体Ｃを切除して、柱や壁に貼って、猫の爪とぎ場にする事も出来、柱や壁をペットのかじりや、引っ掻きから守るガード板としても、使用する事が出来る。
【００２１】
図３のように、仕切り板イと仕切り板ロの、四角形の板体Ａ−１と四角形の板体Ａ−２の短辺どおしと、四角形の板体Ｂ−１と四角形の板体Ｂ−２の短辺どおしを、ガムテープや接着剤等で接着し、結合する事により、２個の四角形の板体Ｂ−１、Ｂ−２を背面、２個の四角形の板体Ｃ−１、Ｃ−２を両側の側面とする本立て型の板体となり、
背面と両側面の糞や尿、食べかすや水等の飛び散りを防ぐ事が出来る本立て型の仕切り板として使用する事が出来る。このままの大きさで大き過ぎる場合は、どちらか一方の仕切り板イ、またはロの、内側の四角形の板体Ａ−１、またはＡ−２と四角形の板体Ｂ−１、またはＢ−２の不要な部分を切除する事によって、大きさを調整する事が出来る。
【００２２】
図４のように、仕切り板イと仕切り板ロの、四角形の板体Ａ−１と四角形の板体Ａ−２の長辺どおしと、四角形の板体Ｃ−１と四角形の板体Ｃ−２の辺部ｘと垂直に交わる辺どおしを、ガムテープや接着剤等で接着する事により、四角形の板体Ｃ−１と
Ｃ−２を背面、四角形の板体Ｂ−１とＢ−２を両側の側面とする奥行きの深い本立て型の板体となり、背面と両側面の糞や尿、食べかすや水等の飛び散りを防ぐ事が出来る、奥行きの深い本立て型の仕切り板として使用する事が出来る。このままの大きさで大き過ぎる場合は、どちらか一方の仕切り板イ、またはロの、内側の四角形の板体Ａ−１、または
Ａ−２と四角形の板体Ｃ−１、またはＣ−２の、不要な部分を切除する事によって、大きさを調整する事が出来る。
【００２３】
図５のように、組み合わせによってさらに大きくしたい場合には、四角形の板体の側板に該当する部分を切除した仕切り板ハを、仕切り板イの四角形の板体Ａ−１と、仕切り板ハの四角形の板体Ａ−３の長辺どおしと、四角形の板体Ｃ−１と、四角形の板体Ｃ−３の辺部ｘと垂直に交わる辺をガムテープや接着剤等で、接着して連結し、その仕切り板ハと仕切り板ロの四角形の板体Ａ−３と四角形の板体Ａ−２の長辺どおしと、四角形の板体Ｃ−３と四角形の板体Ｃ−２の辺部ｘと垂直に交わる辺を、ガムテープや接着剤等で接着して連結する事によって、いくらでも奥行きの深い本立て型を、横に伸ばす事が
出来る。
【００２４】
図６のように、四角形の板体の側板に該当する部分を切除した仕切り板ニを、仕切り板イの四角形の板体Ａ−１と四角形の板体Ａ−４の短辺どおしと、四角形の板体
Ｂ−１と四角形の板体Ｂ−４の短辺どおしを、ガムテープや接着剤等で接着して連結し、その仕切り板ニと仕切り板ロの四角形の板体Ａ−４と四角形の板体Ａ−２の短辺どおしと、四角形の板体Ｂ−４と四角形の板体Ｂ−２の短辺どおしを、それぞれガムテープや接着剤等で接着して連結する事によって、いくらでも本立て型を横に伸ばす事が出来る。
【００２５】
図７のように、仕切り板イの四角形の板体Ｃ−１を、ペットが出入り出来る大きさ分を切除し、仕切り板イと仕切り板ロを上下に組み合わせて、四角形の板体Ａ−２を底面部、四角形の板体Ａ−１を天井部として使い、四角形の板体Ｂ−１、四角形の板体
Ｂ−２、四角形の板体Ｃ−２をそれぞれ側面部として使い、四角形の板体Ｃ−１の切除した部分を出入り口として用いて、それぞれの接合部をガムテープや接着剤等で接着する事
によって、縦広型の犬小屋や、猫小屋、猫のトイレボックス等を作る事が出来る。また、仕切り板イと仕切り板ロを同じように上下に組み合わせた形で、仕切り板イの四角形の
板体Ｃ−１を切除せずに、四角形の板体Ｂ−１をペットが出入り出来る大きさ分を切除すれば、横広型の犬小屋や猫小屋、猫のトイレボックス等を作る事が出来る。
【００２６】
図８のように、図３の形を２つ使用し、四角形の板体Ａ−１と四角形の板体Ａ−２と、四角形の板体Ｃ−１と四角形の板体Ｃ−２どおしを、ガムテープや接着剤等で接着して連結すれば、犬や猫、小動物等が遊ぶ事が出来る遊び場の囲いを作る事も出来き、図４のタイプを２つ使用して連結しても作る事が出来る。さらに図５や図６ように、間に仕切り板ハや仕切り板ニを接続していけば、いくらでも大きくする事が出来、図７と組み合わせれば、小屋付き遊び場として、活用する事も出来る。
【００２７】
なお、本考案の仕切り板の使用例として、上記のようにペット用としての例で説明したが、台所用品や日用品の整理に用いる事も可能である。        
【図面の簡単な説明】
【００２８】
【図１】仕切り板の展開平面図
【図２】仕切り板を組み立てた時の立体図
【図３】仕切り板イと仕切り板ロを長方形の短辺に連結した立体図
【図４】仕切り板イと仕切り板ロを長方形の長辺に連結した立体図
【図５】仕切り板イと仕切り板ロの間に、１つの四角形の板体を切除した板体を、長方形の長辺に接続した立体図
【図６】仕切り板イと仕切り板ロの間に、１つの四角形の板体を切除した板体を、長方形の短辺に接続した立体図
【図７】仕切り板イの四角形の板体の１部を切除して、上下に組み合わせた立体図
【図８】仕切り板イと仕切り板ロを、２枚づつ４枚接続して、囲いにした立体図
【符号の説明】
【００２９】
Ａ、Ａ−１、Ａ−２、Ａ−３、Ａ−４    四角形の板体
Ｂ、Ｂ−１、Ｂ−２、Ｂ−４    四角形の板体
Ｃ、Ｃ−１、Ｃ−２、Ｃ−３    四角形の板体
ａ    四角形の板体Ａの短辺
ｂ    四角形の板体Ａと四角形の板体Ｂの長辺
ｃ    四角形の板体Ｂの短辺
ｄ    四角形の板体Ｃの横辺
ｘ    四角形の板体Ａと四角形の板体Ｃの連接部
ｙ    四角形の板体Ａと四角形の板体Ｂの連接部
ｉ    四角形の板体Ｃと四角形の板体Ｂの接続部
イ    仕切り板の組み立て立体図
ロ    仕切り板の組み立て立体図
ハ    １つの四角形の板体を切除した仕切り板
ニ    １つの四角形の板体を切除した仕切り板    
【図１】
0003128314.tif 000003
【図２】
0003128314.tif 000004
【図３】
0003128314.tif 000005
【図４】
0003128314.tif 000006
【図５】
0003128314.tif 000007
【図６】
0003128314.tif 000008
【図７】
0003128314.tif 000009
【図８】
0003128314.tif 000010